(57)【特許請求の範囲】
【請求項１】
首部と該首部より大径の胴部とを備える合成樹脂製のボトルに把手が取り付けられた把手付きボトルであって、
前記把手は、一端部に前記首部に嵌め込まれる嵌着部を備え、この嵌着部が前記首部に嵌め込まれた状態で、前記把手の他端部が、前記胴部に沿って延在させられるとともに、前記胴部に巻き付けられるシュリンクラベルによって取り付けられ、
前記シュリンクラベルには、前記把手の他端部が延在する方向に延びる容易破断線が形成され、
前記容易破断線は、前記把手の他端部の幅方向の両端縁と対向していることを特徴とする把手付きボトル。
【請求項２】
請求項１記載の把手付きボトルにおいて、
前記胴部には、前記把手の他端部を収容する収容溝が形成されていることを特徴とする把手付きボトル。
【請求項３】
請求項１または２に記載の把手付きボトルにおいて、
前記胴部と前記把手の他端部とには、互いに係合する凹凸部がそれぞれ形成されていることを特徴とする把手付きボトル。
【発明の詳細な説明】
【技術分野】
【０００１】
本発明は、合成樹脂製のボトルに把手が取り付けられた把手付きボトルに関するものである。
【背景技術】
【０００２】
従来より、ボトルの内容物の注ぎ易さや持ち運び易さ等といった取り扱い性を向上させるために、例えば下記特許文献１および２に示されるような、把手付きボトルが提案されている。この種のボトルは、持ち上げられたときに、把手がボトルから外れることがないよう、把手との嵌着部分に十分な強度を具備させる必要がある。そのため一般に、ボトルのうち、前記嵌着部分の肉厚を他よりも大きくすることにより、その強度を確保することがなされている。
【特許文献１】実開昭６１−１９３０２５号公報
【特許文献２】実用新案登録第３０１０２５７号公報
【発明の開示】
【発明が解決しようとする課題】
【０００３】
ところが、前記従来の把手付きボトルでは、ボトルの前記嵌着部分の肉厚を大きくして、その強度を確保していたので、材料コストの増大を招いたり、さらには、ボトルをブロー成形する際の成形時間の増大をも招き、把手付きボトルの全体の製造コストを低減させることが困難であるという問題があった。
また、把手付きボトルの重量も増大するため、把手を取り付けたことにより、逆に前記の取り扱い性を低下させるおそれもあった。
【０００４】
本発明は、このような事情を考慮してなされたもので、ボトルの肉厚を大きくすることなく、ボトルから把手が外れることを防ぐことができる把手付きボトルを提供することを目的とする。
【課題を解決するための手段】
【０００５】
上記課題を解決して、このような目的を達成するために、本発明の把手付きボトルは、首部と該首部より大径の胴部とを備える合成樹脂製のボトルに把手が取り付けられた把手付きボトルであって、前記把手は、一端部に前記首部に嵌め込まれる嵌着部を備え、この嵌着部が前記首部に嵌め込まれた状態で、前記把手の他端部が、前記胴部に沿って延在させられるとともに、前記胴部に巻き付けられるシュリンクラベルによって取り付けられ、前記シュリンクラベルには、前記把手の他端部が延在する方向に延びる容易破断線が形成され、前記容易破断線は、前記把手の他端部の幅方向の両端縁と対向していることを特徴とする。
【０００６】
この発明では、前記把手の他端部が、前記胴部に巻き付けられるシュリンクラベルによって取り付けられているので、この把手の他端部と胴部との取付強度をシュリンクラベルの収縮による巻き付け力によって確保することができる。これにより、前記胴部における把手との嵌着部分の厚さを大きくすることなく、この把手が胴部から外れるのを防ぐことが可能になり、把手付きボトルの製造コストの低減、およびその取り扱い性の向上を図ることができる。
また、前記嵌着部を首部から外して、把手をボトルに対してその外方に向けて引き起こすことにより、この把手の他端部によって、前記シュリンクラベルを前記容易破断線に沿って破断させることが可能になる。これにより、消費者がボトルの内容物を使い切った後に、シュリンクラベルとボトルおよび把手とを分別して廃棄する際に、この分別を容易に実施することができる。
【０００７】
ここで、前記胴部には、前記把手の他端部を収容する収容溝が形成されてもよい。
この場合、シュリンクラベルを、前記把手を取り付けた部分を含めて外方に出っ張らせることなく、胴部の全周に亙って滑らかに巻き付けることが可能になり、シュリンクラベルが不用意に破れるのを防ぐことができる。また、シュリンクラベルに出っ張りがないので、このラベルに描かれている文字や模様等が歪むことなく、すなわちこの把手付きボトルの意匠性を害することなく前記作用効果を具備させることができる。
【０００８】
また、前記胴部と前記把手の他端部とには、互いに係合する凹凸部がそれぞれ形成されてもよい。
この場合、前記係合により、把手の他端部が上方に位置ずれしてボトルから外れることを確実に防ぐことが可能になり、把手をボトルに対して安定させて把持することができ、把手付きボトルの取り扱い性を一層向上させることができる。
【発明の効果】
【００１０】
この発明に係る把手付きボトルによれば、ボトルの肉厚を大きくすることなく、この把手がボトルから外れることを防ぐことができる。
【発明を実施するための最良の形態】
【００１１】
以下、図面を参照し、この発明の第１参考例について説明する。本参考例に係る把手付きボトル１０は、口部１２と胴部１３とが肩部１４を介して一体的に形成されてなる合成樹脂製のボトル１１に把手１５が取り付けられた概略構成とされている。
【００１２】
図示のボトル１１では、平面視矩形状とされた胴部１３の上端に、上方に向かうに従い漸次縮径された肩部１４が設けられ、この肩部１４の上端に、首部１７を介して口部１２が連設されている。胴部１３および肩部１４はそれぞれ４つの面により概略構成され、これらの各面が曲面部を介して周方向に滑らかに連結されている。
口部１２には、その下端部から上端部に向けて順次、径方向外方へ突出する環状リップ部１２ａと、膨出部１２ｂと、雄ねじ部１２ｃとがこの順に形成されている。
【００１３】
肩部１４を構成する前記４つの面の１つ（以下、「逃げ面１４ｂ」という）は、胴部１３の上端に、内方へ向けて凹む凹曲面部１４ａを介して設けられ、他の３つの面と比べて、胴部１３側からの立上がりが急峻となるように形成されている。
【００１４】
そして、胴部１３を構成する前記４つの面のうち、肩部１４の逃げ面１４ｂに連なる面（以下、「対向面」という）１３ａには、後述する把手１５の他端部１５ｃの幅および厚さと同等とされるとともに、胴部１３の上端部、図示の例では凹曲面部１４ａに開口した収容溝１３ｂが形成され、把手１５の他端部１５ｃが、胴部１３の対向面１３ａと面一に収容されるようになっている。なお、ボトル１１は、いわゆるブロー成形により形成されており、口部１２および首部１７の肉厚は、他の部分よりも大きくされて、その硬度は大きくされている。
【００１５】
本参考例の把手１５は合成樹脂により形成され、一端部１５ａに首部１７に嵌め込まれる嵌着部１５ｄを備え、この嵌着部１５ｄが首部１７に嵌め込まれた状態で、把手１５の他端部１５ｃが、胴部１３に沿って延在させられるとともに、胴部１３に巻き付けられるシュリンクラベル１６によって取り付けられるようになっている。なお、本参考例では、把手１５は、一端部１５ａと他端部１５ｃとが湾曲部１５ｂを介して連結された側面視Ｌ字状とされている。
【００１６】
嵌着部１５ｄは、図４に示されるように、貫通孔１５ｆの内周面に、その径方向内方へ向けて突出し、かつ可撓性を有する可撓部１５ｅが周方向に複数形成された概略構成とされている。図示の可撓部１５ｅは、貫通孔１５ｆの内周面からその径方向内方へ向かうに従い漸次、その幅（貫通孔１５ｆの周方向における大きさ）が小さくされた平面視三角形状とされるとともに、その厚さ（貫通孔１５ｆの軸線方向における大きさ）も同様に小さくされている。
以上の一端部１５ａ、湾曲部１５ｂ、他端部１５ｃおよび可撓部１５ｅは合成樹脂により一体的に形成されている。
【００１７】
次に、把手付きボトル１０の組立て方法について説明する。
まず、嵌着部１５ｄの可撓部１５ｅを口部１２の開口端部に接触させて、可撓部１５ｅを弾性的に撓ませながら、一端部１５ａが環状リップ部１２ａよりも下方、つまり首部１７に位置されるまで前記貫通孔に嵌め込む。
【００１８】
この際、他端部１５ｃは、収容溝１３ｂの前記凹曲面部１４ａに開口した部分から挿入されてこの収容溝１３ｂに収容される。
以上より、一端部１５ａが首部１７に嵌着されるとともに、他端部１５ｃが収容溝１３ｂに収容されて、ボトル１１に把手１５が配置される。
【００１９】
次に、胴部１３よりも大径とされたシュリンクラベル１６の内側に、把手１５が前記配置されたボトル１１を配置して、このシュリンクラベル１６の内周面と、胴部１３の外周面および把手１５の他端部１５ｃとを対向させる。そして、これらの全体を加熱して、シュリンクラベル１６を収縮させ、該ラベル１６の内周面を、胴部１３の外周面および把手１５の他端部１５ｃに密着させる。
以上より、胴部１３にシュリンクラベル１６が巻き付けられて、このラベル１６によって把手１５の他端部１５ｃが胴部１３に取り付けられる。
【００２０】
以上説明したように本参考例に係る把手付きボトル１０によれば、把手１５の他端部１５ｃが胴部１３に巻き付けられるシュリンクラベル１６によって取り付けられているので、この把手１５の他端部１５ｃと胴部１３との取付強度をシュリンクラベル１６の収縮による巻き付け力によって確保することができる。これにより、胴部１３における把手１５との嵌着部分の厚さ、本参考例では収容溝１３ｂの肉厚を大きくすることなく、この把手１５が胴部１３から外れるのを防ぐことが可能になり、把手付きボトル１０の製造コストの低減、およびその取り扱い性の向上を図ることができる。
【００２１】
特に、本参考例のボトル１１では、ブロー成形により形成されて、胴部１３の肉厚は、口部１２および首部１７よりも小さくされるが、胴部１３の前記嵌着部分の肉厚を大きくする必要がないので前記作用効果がさらに良好に奏されることになる。
【００２２】
また、把手１５の他端部１５ｃが、胴部１３の対向面１３ａと面一になるように収容溝１３ｂに収容されているので、シュリンクラベル１６を、把手１５を取り付けた部分を含めて外方に出っ張らせることなく、胴部１３の全周に亙って滑らかにフィットさせて巻き付けることが可能になり、シュリンクラベル１６が不用意に破れるのを防ぐことができる。また、シュリンクラベル１６に出っ張りがないので、このラベル１６に描かれている文字や模様等が歪むことなく、すなわちこの把手付きボトル１０の意匠性を害することなく前記作用効果を具備させることができる。
【００２３】
さらに、本参考例では、把手１５の一端部１５ａの嵌着部１５ｄが、環状リップ部１２ａよりも下方の部分に嵌め込まれているので、この把手付きボトル１０を持ち上げたときに、一端部１５ａの嵌着部１５ｄを、その上面側から環状リップ部１２ａの下面によって支持させることが可能になる。したがって、前記持ち上げ時に、一端部１５ａの嵌着部１５ｄが位置ずれして抜けることを防ぐことが可能になる。
【００２４】
次に、本発明の第２から第４参考例に係る把手付きボトルについて説明する。前記第１参考例と同一の部位には同一の符号を付してその説明は省略し、異なる点についてのみ説明する。
これら第２から第４参考例では、胴部１３と把手１５の他端部１５ｃとに、互いに係合する凹凸部がそれぞれ形成されている。
以下、図面を参照して具体例について説明する。
【００２５】
本発明の第２参考例に係る把手付きボトル２０では、図５および図６に示すように、把手１５の他端部１５ｃの自由端部に、胴部１３の内側に向けて突出する凸部２１が設けられている。この凸部２１は、他端部１５ｃの幅方向の全域に亙って延在している。また、収容溝１３ｂの下端部に、その幅方向の全域に亙って凹部２２が形成されている。
【００２６】
そして、前記凸部２１が凹部２２に係合されることにより、ボトル１１に対する把手１５の位置ずれが防止され、把手１５をボトル１１に対して安定させて把持することができ、把手付きボトル２０の取り扱い性を一層向上させることができる。
【００２７】
本発明の第３参考例に係る把手付きボトル３０では、図７および図８に示すように、他端部１５ｃに、その厚さ方向に貫通する平面視矩形状の貫通孔３１が形成されている。
また、収容溝１３ｂの下方部に、胴部１３の外方へ突出する平面視矩形状の凸部３２が形成されている。
【００２８】
そして、前記凸部３２が貫通孔３１に係合されることにより、ボトル１１に対する把手１５の位置ずれが防止され、把手１５をボトル１１に対して安定させて把持することができ、把手付きボトル３０の取り扱い性を一層向上させることができる。
なお、前記貫通孔３１に代えて、他端部１５ｃの厚さ方向に貫通していない凹部とし、この凹部に前記凸部３２を係合させるようにしてもよい。
【００２９】
本発明の第４参考例に係る把手付きボトルでは、図９に示すように、他端部１５ｃのうち、胴部１３と対向する部分の外縁に、当該他端部１５ｃが延在する方向と直交する方向（図９の左右方向）に突出する引っ掛け凸部４３が形成されている。また、収容溝１３ｂを画成する側壁面１３ｃに、引っ掛け凸部４３が収容される凹部４２が形成されている。なお、図９では、シュリンクラベル１６の図示を省略している。
【００３０】
そして、引っ掛け凸部４３が凹部４２に収容されて係合されることにより、ボトル１１に対する把手１５の位置ずれが防止され、把手１５をボトル１１に対して安定させて把持することができ、把手付きボトルの取り扱い性を一層向上させることができる。
【００３１】
なお、図９に示す凹部４２を、胴部１３の全周に延在させた環状溝としてもよい。また、図９に示す形態とは逆に、把手１５の他端部１５ｃに、前記延在する方向と直交する方向に凹む引っ掛け凹部を形成するとともに、収容溝１３ｂの側壁面１３ｃに、前記引っ掛け凹部に収容される凸部を形成するようにしてもよい。
【００３２】
次に、本発明の一実施形態に係る把手付きボトルについて説明するが、前記第１参考例と同一の部位には同一の符号を付してその説明は省略し、異なる点についてのみ説明する。
【００３３】
本実施形態の把手付きボトル４０では、図１０および図１１に示すように、シュリンクラベル１６に、把手４１の他端部１５ｃが延在する方向に延びる容易破断線（ミシン目）１６ｂが形成されている。この容易破断線１６ｂは、シュリンクラベル１６の厚さ方向に貫通する孔１６ａが、前記延在する方向に間隔をあけて複数形成された構成とされている。
そして、本実施形態の把手４１では、一端部４１ａの端面４１ｄが、首部１７の外径より小さい幅で開口されてなるＣ字状の嵌着部４１ｃが形成されており、この開口部を押し広げるように嵌着部４１ｃを弾性変形させることで、前記首部１７への嵌着が可能とされている。
【００３４】
以上より、シュリンクラベル１６の容易破断線１６ｂを把手４１の他端部１５ｃの両端縁と対向させた状態で、把手４１の一端部４１ａを首部１７から引き起こすことによって、嵌着部４１ｃを首部１７から外すとともに、把手４１の他端部１５ｃによりシュリンクラベル１６を容易破断線１６ｂに沿って破断させることが可能になる。これにより、消費者がボトル１１の内容物を使い切った後に、シュリンクラベル１６とボトル１１および把手４１とを分別して廃棄する際に、この分別を容易に実施することができる。
【００３５】
なお、この実施形態における把手４１に代えて、前記第１参考例の把手１５を採用してもよい。この場合、把手１５を上方に移動させて、嵌着部１５ｄを首部１７および口部１２から外した後に、把手１５をボトル１１に対してその外方に向けて引き起こすことにより、この把手１５の他端部１５ｃによって、シュリンクラベル１６を容易破断線１６ｂに沿って破断させることが可能になる。
【００３６】
なお、本発明の技術的範囲は前記実施の形態に限定されるものではなく、本発明の趣旨を逸脱しない範囲において種々の変更を加えることが可能である。例えば、円筒状や多角形状の胴部１３を有するボトル１１にも適用可能である。
【産業上の利用可能性】
【００３７】
ボトルの肉厚を大きくすることなく、ボトルから把手が外れることを防ぐことができる。
【図面の簡単な説明】
【００３８】
【図１】本発明に係る第１参考例として示した把手付きボトルの概略構成図である。
【図２】図１に示す把手付きボトルの上面図である。
【図３】図１に示す把手付きボトルであって、把手の他端部が収容溝に収容されている状態を示す拡大断面図である。
【図４】図１に示す把手の上面図である。
【図５】本発明に係る第２参考例として示した把手付きボトルの概略構成図である。
【図６】図５に示す把手の上面図である。
【図７】本発明に係る第３参考例として示した把手付きボトルの概略構成図である。
【図８】図７に示す把手の上面図である。
【図９】本発明に係る第４参考例として示した把手付きボトルの一部概略構成図である。
【図１０】本発明に係る一実施形態として示した把手付きボトルの一部概略構成図である。
【図１１】図１０に示す把手付きボトルの上面図である。
【符号の説明】
【００３９】
１０、２０、３０、４０  把手付きボトル
１１  ボトル
１３  胴部
１３ｂ  収容溝
１４  肩部
１５、４１  把手
１５ａ、４１ａ  一端部
１５ｃ  他端部
１５ｄ、４１ｃ  嵌着部
１６  シュリンクラベル
１６ｂ  容易破断線
１７  首部
２１、３２、４１  凸部（凹凸部）
２２、３１、４２  凹部（凹凸部）
【図１】
0004531642.tif 000002
【図２】
0004531642.tif 000003
【図３】
0004531642.tif 000004
【図４】
0004531642.tif 000005
【図５】
0004531642.tif 000006
【図６】
0004531642.tif 000007
【図７】
0004531642.tif 000008
【図８】
0004531642.tif 000009
【図９】
0004531642.tif 000010
【図１０】
0004531642.tif 000011
【図１１】
0004531642.tif 000012